(57)【要約】【課題】マルチディスプレイシステムを構成する画像表示装置の故障などに対して適切に対処する。【解決手段】ｍ（ｍは３以上の整数）台の画像表示装置のうちのｎ台（ｎは２以上の整数でｎ≦ｍ）の画像表示装置（プロジェクタ）に対応するｎ個の部分画面を表示面上に表示させる制御を画像表示装置及び画像信号配信装置（スキャンコンバータ）に対して行う機能と、前記ｎ台の画像表示装置に対応するｎ個の部分画面の集合としての表示画面が前記表示面上で構成されている状態において、前記ｎ台の画像表示装置のうちのある画像表示装置に表示異常が発生すると、前記表示異常の発生した画像表示装置を除いた所定の画像表示装置に対応する部分画面によって、前記ｎ個の部分画面の集合としての表示画面を再構成する制御を、前記画像表示装置及び画像信号配信装置に対して行う機能とを有する画像表示制御装置ＣＮＴを有する。【選択図】図３
2008039795.tif 000002
【特許請求の範囲】
【請求項１】
ｍ（ｍは３以上の整数）台の画像表示装置と、前記ｍ台の画像表示装置の各画像表示装置に画像信号を配信する画像信号配信装置と、前記ｍ台の画像表示装置及び前記画像信号配信装置を制御する画像表示制御装置とを有し、前記ｍ台の画像表示装置に対応するｍ個の部分画面の集合としての表示画面を表示面上で構成可能とするマルチディスプレイシステムであって、
前記画像表示制御装置は、
前記ｍ台の画像表示装置のうちのｎ（ｎは２以上の整数であってｎ≦ｍ）台の画像表示装置に対応するｎ個の部分画面の集合としての表示画面を前記表示面上で構成する制御を、前記画像表示装置及び前記画像信号配信装置に対して行う機能と、
前記ｎ個の部分画面の集合としての表示画面が前記表示面上で構成されている状態において、前記ｎ個の画像表示装置のうちのある画像表示装置に表示異常が発生すると、前記表示異常の発生した画像表示装置を除いた所定の画像表示装置に対応する部分画面によって、前記ｎ個の部分画面の集合としての表示画面を再構成する制御を、前記画像表示装置及び前記画像信号配信装置に対して行う機能と、
を有することを特徴とするマルチディスプレイシステム。
【請求項２】
請求項１に記載のマルチディスプレイシステムにおいて、
前記ｍ個の部分画面は、前記表示面上でマトリクス状に配置されることを特徴とするマルチディスプレイシステム。
【請求項３】
請求項１または２に記載のマルチディスプレイシステムにおいて、
前記画像表示制御装置は、
前記ｎ個の部分画面の集合としての表示画面を再構成する際、当該表示画面の画面サイズを維持した状態で当該表示画面を前記表示面上で移動させることによる再構成が可能か否かを判断し、可能であると判断した場合には、当該表示画面の画面サイズを維持した状態で当該表示画面を前記表示面上で移動させて表示画面を再構成する制御を行うことを特徴とするマルチディスプレイシステム。
【請求項４】
請求項１または２に記載のマルチディスプレイシステムにおいて、
前記画像表示制御装置は、
前記ｎ個の部分画面の集合としての表示画面を再構成する際、当該表示画面の画面サイズを維持した状態で当該表示画面を前記表示面上で移動させることによる再構成が可能か否かを判断し、可能ではないと判断した場合には、前記ｎ個の部分画面の集合としての表示画面の画面サイズに可能な限り近い画面サイズとなるように前記表示画面の画面サイズを変更して前記表示画面を再構成する制御を行うことを特徴とするマルチディスプレイシステム。
【請求項５】
請求項４に記載のマルチディスプレイシステムにおいて、
前記画像表示制御装置は、
前記表示画面の画面サイズを変更して前記表示画面を再構成する制御を行う際、再構成後の表示画面のアスペクト比が、再構成前の前記ｎ個の部分画面の集合としての表示画面のアスペクト比と同等か又は可能な限り近いアスペクト比となるように前記表示画面を再構成する制御を行うことを特徴とするマルチディスプレイシステム。
【請求項６】
請求項４または５に記載のマルチディスプレイシステムにおいて、
前記画像表示制御装置は、
前記表示画面の画面サイズを変更して前記表示画面を再構成する制御を行う際、再構成後の表示画面の前記表示面上における位置が、再構成前の前記ｎ個の部分画面の集合とし
ての表示画面の前記表示面上における位置に可能な限り近い位置となるように前記表示画面を再構成する制御を行うことを特徴とするマルチディスプレイシステム。
【請求項７】
請求項１〜６のいずれかに記載のマルチディスプレイシステムにおいて、
前記画像表示装置がプロジェクタである場合、前記画像表示装置としての各プロジェクタに対応する各部分画面の集合としての表示画面を前記表示面上で構成する際、各プロジェクタに対応する各部分画面のうちの隣接する部分画面間に重畳領域が形成されるように前記各プロジェクタに対応する各部分画面が前記表示画面上で配置されることを特徴とするマルチディスプレイシステム。
【請求項８】
請求項７に記載のマルチディスプレイシステムにおいて、
前記重畳領域の明るさを適切にするためのエッジブレンディング処理を各プロジェクタごとに可能とするエッジブレンディング手段を設け、
前記画像表示制御装置は、前記表示画面を再構成する際、再構成後の表示画面において形成される重畳領域に対応してエッジブレンディング処理の設定を行うことを特徴とするマルチディスプレイシステム。
【請求項９】
ｍ（ｍは３以上の整数）台の画像表示装置と、前記ｍ台の画像表示装置の各画像表示装置に画像信号を配信する画像信号配信装置と、前記ｍ台の画像表示装置及び前記画像信号配信装置を制御する画像表示制御装置とを有し、前記ｍ台の画像表示装置に対応するｍ個の部分画面の集合としての表示画面を表示面上で構成可能とするマルチディスプレイシステムにおける画像表示制御方法であって、
前記ｍ台の画像表示装置のうちのｎ（ｎは２以上の整数であってｎ≦ｍ）台の画像表示装置に対応するｎ個の部分画面の集合としての表示画面が前記表示面上で構成されている状態において、前記ｎ個の画像表示装置のうちのある画像表示装置に表示異常が発生すると、前記表示異常の発生した画像表示装置を除いた所定の画像表示装置に対応する部分画面によって、前記ｎ個の部分画面の集合としての表示画面を再構成する制御を、前記画像表示装置及び前記画像信号配信装置に対して行うことを特徴とするマルチディスプレイシステムにおける画像表示制御方法。
【請求項１０】
ｍ（ｍは３以上の整数）台の画像表示装置と、前記ｍ台の画像表示装置の各画像表示装置に画像信号を配信する画像信号配信装置と、前記ｍ台の画像表示装置及び前記画像信号配信装置を制御する画像表示制御装置とを有し、前記ｍ台の画像表示装置に対応するｍ個の部分画面の集合としての表示画面を表示面上で構成可能とするマルチディスプレイシステムにおける画像表示制御装置であって、
前記ｍ台の画像表示装置のうちのｎ（ｎは２以上の整数であってｎ≦ｍ）台の画像表示装置に対応するｎ個の部分画面の集合としての表示画面を前記表示面上で構成する制御を、前記画像表示装置及び前記画像信号配信装置に対して行う機能と、
前記ｎ個の部分画面の集合としての表示画面が前記表示面上で構成されている状態において、前記ｎ個の画像表示装置のうちのある画像表示装置に表示異常が発生すると、前記表示異常の発生した画像表示装置を除いた所定の画像表示装置に対応する部分画面によって、前記ｎ個の部分画面の集合としての表示画面を再構成する制御を、前記画像表示装置及び前記画像信号配信装置に対して行う機能と、
を有することを特徴とするマルチディスプレイシステムにおける画像表示制御装置。
【請求項１１】
ｍ（ｍは３以上の整数）台の画像表示装置と、前記ｍ台の画像表示装置の各画像表示装置に画像信号を配信する画像信号配信装置と、前記ｍ台の画像表示装置及び前記画像信号配信装置を制御する画像表示制御装置とを有し、前記ｍ台の画像表示装置に対応するｍ個の部分画面の集合としての表示画面を表示面上で構成可能とするマルチディスプレイシステムにおける画像表示制御プログラムであって、
前記画像表示制御装置に、
前記ｍ台の画像表示装置のうちのｎ（ｎは２以上の整数であってｎ≦ｍ）台の画像表示装置に対応するｎ個の部分画面の集合としての表示画面が前記表示面上で構成されている状態において、前記ｎ個の画像表示装置のうちのある画像表示装置に表示異常が発生すると、前記表示異常の発生した画像表示装置を除いた所定の画像表示装置に対応する部分画面によって、前記ｎ個の部分画面の集合としての表示画面を再構成する制御を実行させるためのマルチディスプレイシステムにおける画像表示制御プログラム。
【発明の詳細な説明】
【技術分野】
【０００１】
本発明は、マルチディスプレイシステム、マルチディスプレイシステムにおける画像表示制御方法、マルチディスプレイシステムにおける画像表示制御装置及びマルチディスプレイシステムにおける画像表示制御プログラムに関する。
【背景技術】
【０００２】
複数の画像表示装置に対応する部分画面を並べて大画面を形成するマルチディスプレイシステムが実用化されている。特に、画像表示装置としてプロジェクタを用い、複数のプロジェクタに対応する部分画像をスクリーン上に表示することによって全体として大画面を構成するマルチディスプレイシステムが各方面で実用化されている。
【０００３】
しかし、このようなマルチディスプレイシステムにおいては、複数の画像表示装置を用いているがために故障の確率が高くなる。単純に言えば、複数台の画像表示装置としてＮ台（Ｎは２以上）のプロジェクタを用いる場合、故障の起きる確率は単体に比べＮ倍になってしまう。仮に、表示不能となる故障がＮ台のプロジェクタのうち１台のみに発生したとしてしても、それにより表示画像の一部が欠落することになってしまう。これは表示品質としては大きな劣化であり、場合によっては致命的な劣化となってしまう。つまり、複数のプロジェクタを用いて一つの画像を表示する画像表示方法は、全体を一つの表示装置としてみれば、単体の表示装置を用いた画像表示方法に比べて、Ｎ倍の故障確率を有する非常に信頼性の低い表示方法となってしまうという問題がある。
【０００４】
ところで、表示画像の欠落に結びつくような画像表示装置の故障の原因としては、画像表示装置がプロジェクタである場合、ランプ切れなど光源を原因とするものが多い。現行の多くのプロジェクタは投射光源として高圧水銀ランプを用いているが、この種のランプは数百〜数千時間程度の使用によってランプ切れなどの故障が発生することが多い。さらに、各プロジェクタの使用時間などの個体差、各ランプの個体差などによってランプの故障時期のバラツキが大きい。
【０００５】
したがって、複数のプロジェクタによって構成されるマルチディスプレイシステムにおいては、あるプロジェクタに突然ランプ切れが発生することも十分考えられる。このように、あるプロジェクタに突然ランプ切れなどの故障が発生すると、スクリーン上に表示されている画面のうち、故障の発生したプロジェクタに対応する部分画面が欠落してしまい、スクリーン上の表示画面の品質を大きく損なうこととなる。
【０００６】
このような問題を解決するための技術として様々な提案がなされている（例えば、特許文献１、特許文献２参照）。
【０００７】
特許文献１に開示された技術は、通常の投射型表示装置（プロジェクタ）の構成に加えて、投射方向切替部を有するものである。これは、表示画面全体を複数（Ｍ個）の表示領域に分割し、投射方向切替部により、Ｍ個の表示領域（Ｍ１，Ｍ２，・・・とする）を、表示領域Ｍ１，Ｍ２，・・・というように順次切り替えながら表示していくものである。それにより、時分割で画像全体を表示することが可能となる。
【０００８】
図１８は従来のマルチプロジェクションシステムの一例であって時分割で表示を行う例を説明する図である。ある瞬間には、図１８（ａ）に示すように、プロジェクタＰＪ１が領域Ｇ１を表示し、プロジェクタＰＪ２が領域Ｇ３を表示し、プロジェクタＰＪ３が領域Ｇ４を表示する。また、別の瞬間には、図１８（ｂ）に示すように、プロジェクタＰＪ１
が領域Ｇ３を表示し、プロジェクタＰＪ２が領域Ｇ４を表示し、プロジェクタＰＪ３が領域Ｇ２を表示する。
【０００９】
この方法によれば、投射角を大きくすることにより、また画面分割数（表示領域Ｍ１，Ｍ２，・・・）を増やすことにより、大画面、高解像度の表示を行うことが可能となる。ただし、平均輝度については、表示領域の切替え時間が必要であるために、画面全体を同時に表示した場合よりも暗くなってしまうという問題がある。
【００１０】
このような問題を改善するために、特許文献１に開示された技術には、上記した投射方向切替部を有するプロジェクタを複数台、例えば、Ｎ台（ここでＮ≦Ｍ）を用いて表示を行う方法が示されている。
【００１１】
つまり、ある瞬間にはＭ個の領域のうちのＮ個の領域をＮ台の表示装置で表示し、それを時分割で切替えることにより、表示画面全体を時分割で表示するものである。これにより、平均輝度は１台で表示を行う場合のＮ倍となり、大画面、高輝度、高解像度の画像表示を行うことが可能となる。このような表示方法においては、仮にＮ台の内の１台にランプ切れなどの故障が発生したとしても、表示そのものは残りの（Ｎ−１）台により継続して行われる。つまり、この場合は明るさが１／Ｎだけ暗くなるだけであり、表示の一部が欠けるような表示の劣化は起こらないことになる。
【００１２】
一方、特許文献２に開示された技術には、その実施形態１として、複数の光源と光源選択部と光源ミキシング部とを有する単体のプロジェクタによって１つの投影ユニットを構成して、その投影ユニットを複数用いてマルチディスプレイシステムを構成することが示されている。これによれば、光源の一つが故障しても、残りの光源により表示を維持することが可能となる。
【００１３】
また、特許文献２に開示された技術には、その実施形態２として、１つの光源を有する複数台のプロジェクタをスタックした状態で配置し、その複数台のプロジェクタを一組として１つの投影ユニットを構成して、その投影ユニットを複数用いてマルチディスプレイシステムを構成することが示されている。これによれば、それぞれの投影ユニットにおいて１つのプロジェクタの光源に不具合が発生しても、他のプロジェクタがそれを補うことができるので、実質的に実施形態１と同等の効果を得ることができる。
【００１４】
【特許文献１】特開２００４−３５６９１９号公報
【特許文献２】特開２００５−２０４１６５号公報
【発明の開示】
【発明が解決しようとする課題】
【００１５】
しかしながら、上記の特許文献１及び特許文献２に開示された技術は、いずれも特殊なプロジェクタを必要とするか、あるいは、同じ組の複数台のプロジェクタを１台のプロジェクタのように動作させるための仕組みが必要であるという問題がある。
【００１６】
具体的には、特許文献１に開示された技術においては、投射方向切替部を必要とする。これは、時分割表示が可能である程度に高速で動作し、かつ、大画面表示が可能である程度に大きな角度での投射方向の切り替えが可能でなければならない。しかし、これを実現するのは非常に困難であるとともに非常に高コストとなる。
【００１７】
また、特許文献２に開示された技術における実施形態１においては、複数の光源、光源選択部、光源ミキシング部などを必要とする。しかも、これらを実際のプロジェクタにおいて、光軸ずれなどによる表示性能劣化を起こさないように配置しなければならない。こ
れらを実現するのは非常に困難であるか、あるいは、非常に高コストとなる。
【００１８】
さらに、特許文献２に開示された技術における実施形態２は、１つの投影ユニットを構成する複数台のプロジェクタを１台のプロジェクタのように動作させなければならない。このため、複数台のプロジェクタ間の調整を高精度に行う必要があり、かつ、その状態を維持するのは非常に困難である。また必要とするプロジェクタの台数も増えるため、その分コスト増となる。
【００１９】
また、特許文献２の実施形態１に開示された技術は、故障の原因として、光源の不良しか考慮していないものである。したがって、光源の不良以外の原因による故障については対処できないという問題もある。
【００２０】
なお、以上は複数のプロジェクタを用いたマルチディスプレイシステムについて説明したが、プロジェクタだけではなく、たとえば、直視型のフラットパネルディスプレイなどの画像表示装置を複数台並べたマルチディスプレイシステムにおいても、ある画像表示装置に何らかの故障が発生した場合などにおいて同様の問題が生じる。
【００２１】
本発明は、複数の画像表示装置を用いて大画面の表示画面を構成可能とするマルチディスプレイシステムにおいて、特殊な機能を有した画像表示装置を必要とせずに、マルチディスプレイシステムを構成する画像表示装置の表示異常に対して適切に対処することができ、表示の信頼性を維持することのできるマルチディスプレイシステム、マルチディスプレイシステムにおける画像表示制御方法、マルチディスプレイシステムにおける画像表示制御装置及びマルチディスプレイシステムにおける画像表示制御プログラムを提供することを目的する。
【課題を解決するための手段】
【００２２】
（１）本発明のマルチディスプレイシステムは、ｍ（ｍは３以上の整数）台の画像表示装置と、前記ｍ台の画像表示装置の各画像表示装置に画像信号を配信する画像信号配信装置と、前記ｍ台の画像表示装置及び前記画像信号配信装置を制御する画像表示制御装置とを有し、前記ｍ台の画像表示装置に対応するｍ個の部分画面の集合としての表示画面を表示面上で構成可能とするマルチディスプレイシステムであって、前記画像表示制御装置は、前記ｍ台の画像表示装置のうちのｎ（ｎは２以上の整数であってｎ≦ｍ）台の画像表示装置に対応するｎ個の部分画面の集合としての表示画面を前記表示面上で構成する制御を、前記画像表示装置及び前記画像信号配信装置に対して行う機能と、前記ｎ個の部分画面の集合としての表示画面が前記表示面上で構成されている状態において、前記ｎ個の画像表示装置のうちのある画像表示装置に表示異常が発生すると、前記表示異常の発生した画像表示装置を除いた所定の画像表示装置に対応する部分画面によって、前記ｎ個の部分画面の集合としての表示画面を再構成する制御を、前記画像表示装置及び前記画像信号配信装置に対して行う機能とを有することを特徴とする。
【００２３】
このような構成とすることにより、ｍ台のうちのｎ台の画像表示装置を用いて、例えばある表示モードでの表示を行っている最中に、当該表示モードにおいて表示を行っている画像表示装置のうちのある画像表示装置に光源の不具合などによる故障が発生した場合でも、故障の発生した画像表示装置を除く画像表示装置に対応する部分画面を用いて表示画面の再構成を行うことが可能となり、現在の表示モードによる表示を継続することができる。
このように、本発明のマルチディスプレイシステムでは、表示画面の再構成によって画像表示装置の故障に対処可能としているため、マルチディスプレイシステムに用いる画像表示装置として、特殊な画像表示装置は必要とせずに、画像表示装置の故障の発生に対して適切に対処することができる。
【００２４】
なお、前記表示モードとしては、例えば、表示面全体を使って表示を行う表示モード、表示面全体の所定部分だけ使って表示を行う表示モード、表示面全体を２つ以上に分割して２つ以上の表示画面を構成して各表示画面で同じ内容または異なった内容による表示を行う表示モードなど種々の表示モードがある。いずれの表示モードにおいても、当該表示モードにおいて表示を行っている画像表示装置のうちのある画像表示装置に故障が発生した場合であっても、部分画面が欠落したまま表示が継続されるといったことを防ぐことができ、表示の信頼性を維持することができる。
【００２５】
（２）前記（１）に記載のマルチディスプレイシステムにおいて、前記ｍ個の部分画面は、前記表示面上でマトリクス状に配置されることが好ましい。
このように各画像表示装置に対応する部分画面が表示面上でマトリクス状に配置された場合においても（１）と同様の効果を得ることができる。
【００２６】
（３）前記（１）または（２）に記載のマルチディスプレイシステムにおいて、前記画像表示制御装置は、前記ｎ個の部分画面の集合としての表示画面を再構成する際、当該表示画面の画面サイズを維持した状態で当該表示画面を前記表示面上で移動させることによる再構成が可能か否かを判断し、可能であると判断した場合には、当該表示画面の画面サイズを維持した状態で当該表示画面を前記表示面上で移動させて表示画面を再構成する制御を行うことが好ましい。
【００２７】
このように、表示画面の画面サイズを維持したまま表示面上で移動させることによって表示画面の再構成が可能となる場合には、再構成後の表示画面の表示面上での表示位置は再構成前の表示画面の位置に対して変化するが、再構成後の表示画面の画面サイズは再構成前の表示画面の画面サイズをそのまま維持できる。このため、再構成後の表示画面は、アスペクト比や解像度などが変化することなく、再構成前の表示画面と同じ表示品質を維持することができるので、視聴者に違和感を与えることのない表示の継続が可能となる。
【００２８】
（４）前記（１）または（２）に記載のマルチディスプレイシステムにおいて、前記画像表示制御装置は、前記ｎ個の部分画面の集合としての表示画面を再構成する際、当該表示画面の画面サイズを維持した状態で当該表示画面を前記表示面上で移動させることによる再構成が可能か否かを判断し、可能ではないと判断した場合には、前記ｎ個の部分画面の集合としての表示画面の画面サイズに可能な限り近い画面サイズとなるように前記表示画面の画面サイズを変更して前記表示画面を再構成する制御を行うことが好ましい。
【００２９】
これは、表示画面の画面サイズを維持したまま表示面上で移動させることができない場合であり、この場合の表示画面の再構成は、再構成前の表示画面の画面サイズに可能な限り近い画面サイズとなるように画面サイズを変更する。なお、この場合の画面サイズの変更は、再構成前の表示画面の画面サイズを超えない範囲内での変更とすることが好ましい。このような表示画面の再構成を行うことにより、再構成後の表示画面の画面サイズは、再構成前の表示画面の画面サイズを超えない範囲内で最大の画面サイズとすることができるので、解像度も最大限確保することができ表示品質が大きく劣化するのを防ぐことができる。
【００３０】
（５）前記（４）に記載のマルチディスプレイシステムにおいて、前記画像表示制御装置は、前記表示画面の画面サイズを変更して前記表示画面を再構成する制御を行う際、再構成後の表示画面のアスペクト比が、再構成前の前記ｎ個の部分画面の集合としての表示画面のアスペクト比と同等か又は可能な限り近いアスペクト比となるように前記表示画面を再構成する制御を行うことが好ましい。
【００３１】
このように、表示画面の画面サイズを変更するような表示画面の再構成を行う際、前記再構成後の表示画面のアスペクト比を再構成前の表示画面のアスペクト比に可能な限り近い値とすることにより、再構成後の表示画面は、画面サイズが異なっても、再構成前の表示画面により近い画面サイズで、かつ、アスペクト比がほぼ同等に保たれるような画面構成となる。これにより、再構成後の表示画面は、アスペクト比も大きく変化しないので、視聴者に違和感を与えることの少ない表示画面とすることができる。
【００３２】
（６）前記（４）または（５）に記載のマルチディスプレイシステムにおいて、前記画像表示制御装置は、前記表示画面の画面サイズを変更して前記表示画面を再構成する制御を行う際、再構成後の表示画面の前記表示面上における位置が、再構成前の前記ｎ個の部分画面の集合としての表示画面の前記表示面上における位置に可能な限り近い位置となるように前記表示画面を再構成する制御を行うことが好ましい。
【００３３】
このように、表示画面の画面サイズを変更した表示画面の再構成を行う際、再構成後の表示画面の表示位置を、再構成前の表示画面の表示位置にできるだけ近い位置とすることにより、視聴者に違和感を与えることの少ない表示画面とすることができる。
【００３４】
（７）前記（１）〜（６）のいずれかに記載のマルチディスプレイシステムにおいて、前記画像表示装置がプロジェクタである場合、前記画像表示装置としての各プロジェクタに対応する各部分画面の集合としての表示画面を前記表示面上で構成する際、各プロジェクタに対応する各部分画面のうちの隣接する部分画面間に重畳領域が形成されるように前記各プロジェクタに対応する各部分画面が前記表示画面上で配置されることが好ましい。
このように、画像表示装置がプロジェクタである場合には、各プロジェクタに対応する部分画面のうちの隣接する部分画面間に重畳領域を設けることによって、部分画面のつなぎ目を目立ちにくくすることができ高品質な大画面画像を表示することができる。
【００３５】
（８）前記（７）に記載のマルチディスプレイシステムにおいて、前記重畳領域の明るさを適切にするためのエッジブレンディング処理を各プロジェクタごとに可能とするエッジブレンディング手段を設け、前記画像表示制御装置は、前記表示画面を再構成する際、再構成後の表示画面において形成される重畳領域に対応してエッジブレンディング処理の設定を行うことが好ましい。
これにより、再構成後の表示画面の表示に用いるプロジェクタにおいて、再構成後の表示画面に対応した適切なエッジブレンディング処理を行うことができる。
【００３６】
（９）本発明のマルチディスプレイシステムにおける画像表示制御方法は、ｍ（ｍは３以上の整数）台の画像表示装置と、前記ｍ台の画像表示装置の各画像表示装置に画像信号を配信する画像信号配信装置と、前記ｍ台の画像表示装置及び前記画像信号配信装置を制御する画像表示制御装置とを有し、前記ｍ台の画像表示装置に対応するｍ個の部分画面の集合としての表示画面を表示面上で構成可能とするマルチディスプレイシステムにおける画像表示制御方法であって、前記ｍ台の画像表示装置のうちのｎ（ｎは２以上の整数であってｎ≦ｍ）台の画像表示装置に対応するｎ個の部分画面の集合としての表示画面が前記表示面上で構成されている状態において、前記ｎ個の画像表示装置のうちのある画像表示装置に表示異常が発生すると、前記表示異常の発生した画像表示装置を除いた所定の画像表示装置に対応する部分画面によって、前記ｎ個の部分画面の集合としての表示画面を再構成する制御を、前記画像表示装置及び前記画像信号配信装置に対して行うことを特徴とする。
【００３７】
このようなマルチディスプレイシステムにおける画像表示制御方法による画像表示制御を前記（１）に記載のマルチディスプレイシステムに適用することにより、前記（１）に記載のマルチディスプレイシステムを実現することができる。なお、（９）に記載の画像
表示制御方法においても、前記（２）〜（８）のマルチディスプレイシステムの特徴を有することが好ましい。
【００３８】
（１０）本発明のマルチディスプレイシステムにおける画像表示制御装置は、ｍ（ｍは３以上の整数）台の画像表示装置と、前記ｍ台の画像表示装置の各画像表示装置に画像信号を配信する画像信号配信装置と、前記ｍ台の画像表示装置及び前記画像信号配信装置を制御する画像表示制御装置とを有し、前記ｍ台の画像表示装置に対応するｍ個の部分画面の集合としての表示画面を表示面上で構成可能とするマルチディスプレイシステムにおける画像表示制御装置であって、前記ｍ台の画像表示装置のうちのｎ（ｎは２以上の整数であってｎ≦ｍ）台の画像表示装置に対応するｎ個の部分画面の集合としての表示画面を前記表示面上で構成する制御を、前記画像表示装置及び前記画像信号配信装置に対して行う機能と、前記ｎ個の部分画面の集合としての表示画面が前記表示面上で構成されている状態において、前記ｎ個の画像表示装置のうちのある画像表示装置に表示異常が発生すると、前記表示異常の発生した画像表示装置を除いた所定の画像表示装置に対応する部分画面によって、前記ｎ個の部分画面の集合としての表示画面を再構成する制御を、前記画像表示装置及び前記画像信号配信装置に対して行う機能とを有することを特徴とする。
【００３９】
このような機能を有する画像表示制御装置をマルチディスプレイシステムに用いることにより、（１）に記載のマルチディスプレイシステムを実現することができる。なお、（１０）に記載のマルチディスプレイシステムにおける画像表示制御装置においても、前記（２）〜（８）のマルチディスプレイシステムの特徴を有することが好ましい。
【００４０】
（１１）本発明のマルチディスプレイシステムにおける画像表示制御プログラムは、ｍ（ｍは３以上の整数）台の画像表示装置と、前記ｍ台の画像表示装置の各画像表示装置に画像信号を配信する画像信号配信装置と、前記ｍ台の画像表示装置及び前記画像信号配信装置を制御する画像表示制御装置とを有し、前記ｍ台の画像表示装置に対応するｍ個の部分画面を表示面上に表示することによって、前記ｍ個の部分画面の集合としての表示画面を前記表示面上で構成可能とするマルチディスプレイシステムにおける画像表示制御プログラムであって、前記画像表示制御装置に、前記ｍ台の画像表示装置のうちのｎ（ｎは２以上の整数であってｎ≦ｍ）台の画像表示装置に対応するｎ個の部分画面の集合としての表示画面が前記表示面上で構成されている状態において、前記ｎ個の画像表示装置のうちのある画像表示装置に表示異常が発生すると、前記表示異常の発生した画像表示装置を除いた所定の画像表示装置に対応する部分画面によって、前記ｎ個の部分画面の集合としての表示画面を再構成する制御を実行させるためのマルチディスプレイシステムにおける画像表示制御プログラムである。
【００４１】
このようなマルチディスプレイシステムにおける画像表示制御プログラムを前記画像表示制御装置に実行させることにより、前記（１）に記載のマルチディスプレイシステムを実現することができる。なお、（１１）に記載の画像表示制御方法においても、前記（２）〜（８）のマルチディスプレイシステムの特徴を有することが好ましい。
【発明を実施するための最良の形態】
【００４２】
以下、本発明の実施形態について説明する。
図１は本発明の実施形態に係るマルチディスプレイシステムの構成を説明する図である。なお、本発明の実施形態に係るマルチディスプレイシステムは、画像表示装置としてプロジェクタを用い、複数のプロジェクタに対応する複数の部分画面を表示面上に表示することによって、複数の部分画面の集合としての表示画面を表示面（スクリーン）上で構成可能とするものであるとする。また、本発明の実施形態に係るマルチディスプレイシステムは、スクリーンの裏側から各プロジェクタが投射を行う背面投射型のマルチディスプレイシステムであるとする。
【００４３】
本発明の実施形態に係るマルチディスプレイシステムは、システムの外観構成としては、図１に示すように、表示面としてのスクリーンＳＣＲ、ラック１に設置された横方向７台、縦方向３台の合計２１台のプロジェクタＰＪ１１〜ＰＪ７３を有している。また、それぞれのプロジェクタＰＪ１１〜ＰＪ７３に対応して、各プロジェクタが表示する部分画像と、隣り合うプロジェクタが表示する部分画像との間に形成される重畳領域の明るさを適切なものとするためのエッジブレンディング装置（図1においては図示せず）が設けら
れている。
【００４４】
なお、ラック１に設置されたプロジェクタＰＪ１１〜ＰＪ７３は、縦方向の並びを列とし、それぞれの列を図１の左側から１列目、２列目、・・・とする。そして、それぞれの列には３台のプロジェクタが存在し、１列目のプロジェクタには、ＰＪ１１，ＰＪ１２，ＰＪ１３の符号を付し、２列目のプロジェクタには、ＰＪ２１，ＰＪ２２，ＰＪ２３の符号を付し、７列目のプロジェクタには、ＰＪ７１，ＰＪ７２，ＰＪ７３の符号を付すというように、２１台のプロジェクタにＰＪ１１〜ＰＪ７３の符号を付す。なお、図１では、図面が煩雑となるのを防ぐため、２１台のうちの一部のプロジェクタのみに符号が付されている。
また、これら各プロジェクタＰＪ１１〜ＰＪ７３は、ＸＧＡ（１０２４画素×７６８画素）の解像度を有するものとする。
【００４５】
図２は各プロジェクタＰＪ１１〜ＰＪ７３に対する画像信号及び制御信号の配信例を説明する図である。本発明の実施形態に係るマルチディスプレイシステムは、図２に示すように、各プロジェクタＰＪ１１〜ＰＪ７３に対応してスキャンコンバータＳＣ１１〜ＳＣ７３が設けられ、個々のプロジェクタが表示すべき部分画像に対応する部分画像データを当該プロジェクタに接続されたスキャンコンバータで生成する方式であるとする。
なお、各スキャンコンバータＳＣ１１〜ＳＣ７３には、画像ソース部ＶＳ（第１画像ソース部ＶＳ１、第２画像ソース部ＶＳ２など複数の画像ソース部を有する構成であってもよい）からのビデオ信号がマトリクススイッチャＭＳＷにより配信される。
【００４６】
また、各プロジェクタＰＪ１１〜ＰＪ７３、スキャンコンバータＳＣ１１〜ＳＣ７３、マトリクススイッチャＭＳＷを制御するための制御信号は、画像表示制御装置ＣＮＴ（パーソナルコンピュータなどを用いることができる）からハブＨＵＢ（ＨＵＢ１，ＨＵＢ２）を介して与えられる。ここでは、各プロジェクタＰＪ１１〜ＰＪ７３を制御する制御信号及びマトリクススイッチャＭＳＷを制御する制御信号は、ハブＨＵＢ１を介して与えられ、各スキャンコンバータＳＣ１１〜ＳＣ７３を制御する制御信号は、ハブＨＵＢ２によって与えられる。
【００４７】
図３は本発明の実施形態に係るマルチディスプレイシステムにおける表示画面の再構成を実施するに必要な構成を示す図である。なお、図３においては、図２に示したプロジェクタＰＪ１１〜ＰＪ７３及びスキャンコンバータＳＣ１１〜ＳＣ７３のうちのある１台のプロジェクタ（プロジェクタＰＪ１１とする）とスキャンコンバータ（スキャンコンバータＳＣ１１とする）のみが示されている。
【００４８】
図３に示すように、画像表示制御装置ＣＮＴは、各プロジェクタＰＪ１１〜ＰＪ７３及び各スキャンコンバータＳＣ１１〜ＳＣ７３との間でシステム制御用通信路１００を介して双方向通信が可能な双方向通信部１１と、プロジェクタＰＪ１１〜ＰＪ７３からの表示異常を知らせる信号（表示異常信号という）によって、どのプロジェクタに表示異常が発生したかを検知する表示異常検知部１２と、表示異常検知部１２によってあるプロジェクタに表示異常が発生したことが検知されると、表示異常検知部１２からの表示異常検知信号に基づいてどのような表示画面の再構成（後述する）が可能かを探索して、表示異常に
応じた最適な表示画面の再構成を設定する表示画面再構成設定制御部１３と、表示画面再構成設定制御部１３による制御内容に基づいて、制御すべきプロジェクタＰＪ１１〜ＰＪ７３、スキャンコンバータＳＣ１１〜ＳＣ７３、マトリクススイッチャＭＳＷなどに対する表示画面再構成のための制御信号を生成する再構成制御信号生成部１４とを有している。
【００４９】
また、各プロジェクタＰＪ１１〜ＰＪ７３は、画像表示制御装置ＣＮＴ及び自身に接続されたスキャンコンバータとの間でシステム制御用通信路１００を介して双方向通信が可能な双方向通信部２１と、通常のプロジェクタとしての機能を実施可能なプロジェクタ構成要素２２と、自身の状態（例えばランプ切れなど）を示す情報を生成する状態情報生成部２３と、画像表示制御装置ＣＮＴから送られてくる制御信号に基づいて各種機能を設定する機能設定部２４とを有している。
【００５０】
また、プロジェクタ構成要素２２は、画像データを入力する入力部と、光源と、光源を駆動する光源駆動部と、光源からの光を画像データに応じて変調する電気光学変調装置としての液晶変調装置と、光源からの光を液晶変調装置に導くための光学系と、液晶変調装置からの画像光をスクリーン上に投写する投写光学系とを有している。
【００５１】
なお、個々のプロジェクタにおいて自身にランプ切れなどによる表示異常が発生したことは、個々のプロジェクタが有するセルフモニタ機能などによって検知することができ、このような表示異常が発生すると、状態情報生成部２３が表示異常を示す表示異常情報を生成し、生成した表示異常情報を双方向通信部２１によって画像表示制御装置ＣＮＴに送信する。
また、機能設定部２４は、プロジェクタの構成要素２２に対して画像の表示を行うための様々な制御を行う。
【００５２】
一方、スキャンコンバータＳＣ１１〜ＳＣ７３は、画像表示制御装置ＣＮＴ及び自身に接続されたプロジェクタとの間でシステム制御用通信路１００を介して双方向通信が可能な双方向通信部３１と、通常のスキャンコンバータとしての機能を実施可能なスキャンコンバータ構成要素３２と、自身の状態を示す情報を生成する状態情報生成部３３と、画像表示制御装置ＣＮＴから送られてくる制御信号に基づいて各種機能を設定する機能設定部３４とを有している。
【００５３】
また、スキャンコンバータ構成要素３２は、画像ソース部ＶＳから配信されてくるビデオ信号を入力する信号入力部と、入力されたビデオ信号を自身が接続されているプロジェクタで投射すべき部分画像に対応するビデオ信号に変換する信号変換部と、変換されたビデオ信号を当該プロジェクタに出力する信号出力部とを有している。
【００５４】
また、エッジブレンディング装置７０は、画像表示制御装置ＣＮＴとの間でシステム制御用通信路１００を介して双方向通信可能に接続されている。このエッジブレンディング装置７０については後述する。
【００５５】
図４はスクリーンＳＣＲ上での各プロジェクタＰＪ１１〜ＰＪ７３に対応する部分画面の配置を示す図である。図４に示すように、本発明の実施形態に係るマルチディスプレイシステムにおいては、各プロジェクタＰＪ１１〜ＰＪ７３に対応する部分画面Ｇ１１〜Ｇ７３は、隣接する部分画面との間に重畳領域を有するようにスクリーンＳＣＲ上に配置されるものとする。
【００５６】
図４に示すように、隣接するプロジェクタに対応する部分画面の水平方向の重畳領域は２５６画素、垂直方向の重畳領域は１９２画素を有し、７台×３台の合計２１台のプロジ
ェクタＰＪ１１〜ＰＪ７３に対応する各部分画面の集合としての表示画面の画面サイズは、水平方向が５６３２画素、垂直方向が１９２０画素を有するものとなっている。
【００５７】
図５は本発明の実施形態に係るマルチディスプレイシステムにおいて表示可能な表示モードの例を示す図である。本発明の実施形態に係るマルチディスプレイシステムにおいては、多様な表示モードによる表示が可能であるが、ここでは、図５（ａ）〜（ｅ）に示す５つの表示モード（第１〜第５表示モードという）について説明する。
【００５８】
図５（ａ）は第１表示モードであり、この第１表示モードは、中央の３列の部分画面Ｇ３１〜Ｇ５３により表示を行う表示モードである。すなわち、３列目のプロジェクタＰＪ３１〜ＰＪ３３に対応する部分画面Ｇ３１〜Ｇ３３（図４参照）と、４列目のプロジェクタＰＪ４１〜ＰＪ４３に対応する部分画面Ｇ４１〜Ｇ４３（図４参照）と、５列目のプロジェクタＰＪ５１〜ＰＪ５３に対応する部分画面Ｇ５１〜Ｇ５３（図４参照）とにより表示を行う表示モードである。
【００５９】
図５（ｂ）は第２表示モードであり、この第２表示モードは、スクリーンで２つの表示画面（左側表示画面及び右側表示画面という）を有し、かつ、左側表示画面と右側表示画面とで、それぞれ同じ内容の表示を行う表示モード（１系統２表示画面による表示モード）である。
【００６０】
左側表示画面は、１列目から３列目まので部分画面Ｇ１１〜Ｇ３３により構成されている。すなわち、１列目のプロジェクタＰＪ１１〜ＰＪ１３に対応する部分画面Ｇ１１〜Ｇ１３（図４参照）と、２列目のプロジェクタＰＪ２１〜ＰＪ２３に対応する部分画面Ｇ２１〜Ｇ２３（図４参照）と、３列目のプロジェクタＰＪ３１〜ＰＪ３３に対応する部分画面Ｇ３１〜Ｇ３３（図４参照）で構成されている。
【００６１】
また、右側表示画面は、５列目から７列目まので部分画面Ｇ５１〜Ｇ７３により構成されている。すなわち、５列目のプロジェクタＰＪ５１〜ＰＪ５３に対応する部分画面Ｇ５１〜Ｇ５３（図４参照）と、６列目のプロジェクタＰＪ６１〜ＰＪ６３に対応する部分画面Ｇ６１〜Ｇ６３（図４参照）と、７列目のプロジェクタＰＪ７１〜ＰＪ７３に対応する部分画面Ｇ７１〜Ｇ７３（図４参照）で構成されている。
【００６２】
図５（ｃ）は第３表示モードであり、第３表示モードは、第２表示モードと同様、スクリーンで２つの表示画面（左側表示画面及び右側表示画面）を有するが、第３表示モードでは、左側表示画面と右側表示画面とで、それぞれ異なった表示を行う表示モード（２系統２表示画面による表示モード）である。なお、左側表示画面及び右側表示画面を構成する部分画面は第２表示モードと同じである。
【００６３】
図５（ｄ）は第４表示モードであり、この第４表示モードは、左右両端のプロジェクタ（１列目と７列目）のプロジェクタを除くプロジェクタすなわち２列目から６列目のプロジェクタＰＪ２１〜ＰＪ６３に対応する部分画面Ｇ２１〜Ｇ６３（図４参照）を用いて表示を行う表示モードである。
【００６４】
図５（e）は第５表示モードであり、この第５表示モードは、２１台のプロジェクタＰ
Ｊ１１〜ＰＪ７３に対応する部分画面Ｇ１１〜Ｇ７３（図４参照）の全てを用いて表示を行う表示モードである。
【００６５】
本発明の実施形態に係るマルチディスプレイシステムは、図５（ａ）〜（ｅ）に示す第１〜第５表示モードのいずれかの表示モードによる表示を行っている最中に、表示を行っているプロジェクタのうちのあるプロジェクタに表示異常が発生した場合、表示画面の再
構成を行うことによって、部分画面の欠落などが生じたままの状態とすることなく、各表示モードでの表示を継続可能とするものである。
【００６６】
なお、本発明の実施形態に係るマルチディスプレイシステムにおいては、プロジェクタの表示異常は光源のランプ切れにより表示不能となった状態であるとする。以下、第１〜第５表示モードにおける表示画面の再構成の具体例について説明する。
【００６７】
[第１表示モードにおける表示画面の再構成例]
図６は第１表示モードにおける表示画面の再構成（その１）について説明する図である。第１表示モードは、図５（ａ）で説明したように、３列目から５列目のプロジェクタＰＪ３１〜ＰＪ５３に対応する部分画面Ｇ５１〜Ｇ５３により表示を行う表示モードである。
【００６８】
第１表示モードを行う際に表示を行う３列目から５列目のプロジェクタＰＪ３１〜ＰＪ５３のうち、プロジェクタＰＪ５２がランプ切れ（以下では故障という）を起こし、プロジェクタＰＪ５２に対応する部分画面Ｇ５２が欠落したとする（図６（ａ）参照）。
【００６９】
この場合、画面サイズを維持したまま表示画面を移動することによる再構成が可能である。すなわち、故障の発生したプロジェクタＰＪ５２の存在する５列目のプロジェクタＰＪ５１，ＰＪ５２，ＰＪ５３に対応する部分画面Ｇ５１，Ｇ５２，Ｇ５３は使用せずに、２列目から４列目のプロジェクタＰＪ２１〜ＰＪ４３に対応する部分画面Ｇ２１〜Ｇ４３を用いて表示画面を再構成することが可能である。このような表示画面の再構成を行うことによって第１表示モードによる表示を継続することができる(図６（ｂ）参照)。
【００７０】
これにより、例えば、図５（ａ）のような第１表示モードによる表示を行っている最中に、あるプロジェクタ（プロジェクタＰＪ５２としている）が突然、故障して表示不能となっても、図５（ａ）のような第１表示モードによる表示を続行することができる。このとき、再構成後の表示画面は、再構成前の表示画面の位置に対して表示画面の位置がスクリーンＳＣＲ上で左側に少しずれた位置となるが表示画面のサイズ、解像度、アスペクト比は変化することがない。
【００７１】
なお、表示画面の再構成は、該当するプロジェクタ、スキャンコンバータなどの機器を画像表示制御装置ＣＮＴが制御することによって行う。すなわち、プロジェクタに対しては、再構成後の表示画面の表示に新たに使用するプロジェクタの点灯制御、再構成後の表示画面の表示に使用するプロジェクタに対応する各部分画面の隣接する部分画面間に形成される重畳領域のエッジブレンディング処理、使用を停止するプロジェクタの消灯などの制御を行い、また、スキャンコンバータに対しては、表示画面の再構成を行う際、再構成後の表示画面に使用される各プロジェクタが表示すべき部分画像に対応するビデオ信号を生成させるための制御を行う。
【００７２】
例えば、図６（ａ）から図６（ｂ）のように表示画面の再構成を行う場合、画像表示制御装置ＣＮＴは、新たに表示を行う２列目のプロジェクタＰＪ２１〜ＰＪ２３に対してランプを点灯させるための制御信号を送信するとともに、これら新たに表示を行う２列目のプロジェクタＰＪ２１〜ＰＪ２３及び既に表示を行っている３列目と４列目のプロジェクタＰＪ３１〜ＰＪ４３に対応して設けられたスキャンコンバータＳＣ２１〜ＳＣ４３に対し、各プロジェクタＰＪ２１〜ＰＪ４３が表示すべき部分画像のビデオ信号を生成させるための制御信号を送信する。さらに、各プロジェクタＰＪ２１〜ＰＪ４３に対応するエッジブレンディング装置７０に対し、隣接する部分画面間に形成される重畳領域を目立たなくするためのエッジブレンディング処理（この処理については後述する）を行うための制御信号を送信する。また、使用しなくなるプロジェクタＰＪ５１〜ＰＪ５３に対してラン
プを消灯させるための制御信号を送信する。
そして、各制御信号を受信したプロジェクタＰＪ２１〜ＰＪ５３は、光源の消灯・点灯の制御、スキャンコンバータＳＣ２１〜ＳＣ４３は、自身に対応するプロジェクタが表示すべき部分画像のビデオ信号の生成を行う。制御信号を受信したエッジブレンディング装置７０の動作については後述する。
【００７３】
図７乃至図１０は表示画面を再構成する際のエッジブレンディング処理について説明する図である。本発明の実施形態に係るマルチディスプレイシステムでは、遮光板２０によってエッジブレンディング処理を行う例であり、画像表示制御装置ＣＮＴが所望とするエッジブレンディングパターンの設定を行うべくエッジブレンディング装置７０に制御信号を送信し、エッジブレンディング装置７０は受信した制御信号に基づいてエッジブレンディングパターンの切替を行うものとする。
【００７４】
図７は、マルチプロジェクションシステムを構成する複数のプロジェクタＰＪ１１〜ＰＪ７３の各プロジェクタに対応して設置されるエッジブレンディング装置を説明する図である。図７では、ある１つのプロジェクタ（プロジェクタＰＪ１１とする）に対応するエッジブレンディング装置について説明するが、他のプロジェクタに対応するエッジブレンディング装置も同様の構成を有するものとする。
【００７５】
エッジブレンディング装置７０は、複数のエッジブレンディングパターン形成部（後述する）を有する円盤状部材でなる遮光手段保持部７１、この遮光手段保持部７１を回転させることによってエッジブレンディングパターンＥＢＰを切替制御するエッジブレンディングパターン切替制御部７２（モータ７３とモータ制御部７４とを有する）、遮光手段保持部７１の初期位置を正確に検出するための初期位置検出用センサ７５、そして、これらエッジブレンディングパターン切替制御部７２、初期位置検出用センサ７５などが取り付けられ、プロジェクタＰＪ１１の筐体の側面と上端面の一部を跨ぐように設置される構成部品取付台７６を有している。なお、モータ７３としてはステッピングモータを用いるものとする。
【００７６】
遮光手段保持部７１は、その中心部７１ａがモータ７３の回転軸７３ａにネジ７１ｂなどによって固定される。また、遮光手段保持部７１には、複数（５個とする）の円形や矩形（図７では円形としている）の開口部でなるエッジブレンディングパターン形成部Ｐ０〜Ｐ４が等間隔を有して同心円上に設けられている。これらのエッジブレンディングパターン形成部Ｐ０〜Ｐ４は、遮光板２０が取り付けられることによって所望とするエッジブレンディングパターンＥＢＰを形成するものである。
【００７７】
なお、各エッジブレンディングパターン形成部Ｐ０〜Ｐ４は、遮光手段保持部７１の中心部７１ａを通る７２度の角度ごとの各線分上の中心部７１ａから等距離に各エッジブレンディングパターン形成部Ｐ０〜Ｐ４の中心が位置するように形成される。また、各エッジブレンディングパターン形成部Ｐ０〜Ｐ４は、遮光板２０が取り付けられていない状態では、プロジェクタＰＪ１１からの投写光を完全に通過可能な（投写光の「ケラレ」が無いような）径を有している。
【００７８】
遮光手段保持部７１は、自身が回転することによって、各エッジブレンディングパターン形成部Ｐ０〜Ｐ４が順次、プロジェクタＰＪ１１からの投写光に対応する位置、すなわち、プロジェクタＰＪ１１の投写レンズＬに対向する位置となるように設けられる。このとき、プロジェクタＰＪ１１の投写レンズＬに対向したエッジブレンディングパターン形成部は、遮光板２０が取り付けられていない状態においてプロジェクタＰＪ１１からの投写光を完全に通過可能となるように投写レンズＬに対向する位置となる。
【００７９】
そして、遮光手段保持部７１の初期位置（ここでは、エッジブレンディングパターン形成部Ｐ０がプロジェクタＰＪ１１の投写レンズＬに対向する位置を初期位置とする）から、モータ７３を７２度単位の角度で回転させることにより、他のエッジブレンディングパターン形成部Ｐ１〜Ｐ３も順次、プロジェクタＰＪ１１の投写レンズＬに対向する位置とすることができる。
【００８０】
なお、遮光手段保持部７１の初期位置の検出は、初期位置検出用センサ（フォトインタラプタなど）７５が遮光手段保持部７１に設けられた切り欠き部や凸部（図示せず）を検出することによって行うことができる。なお、初期位置検出用センサ７５と遮光手段保持部７１に設けられた切り欠き部や凸部（図示せず）とによって初期位置検出手段が構成される。
【００８１】
また、エッジブレンディングパターン切替制御部７２のモータ制御部７４は、プロジェクタＰＪ１１によって、エッジブレンディングパターンＥＢＰの切り替えなどを制御可能とするための通信手段が設けられる。その通信手段としては、たとえば、ＴＣＰ／ＩＰなどのいわゆるＬＡＮによる通信手段や、ＥＩＡ２３２（ＲＳ２３２Ｃ）やＵＳＢなどのシリアル通信手段などを利用することができる。
【００８２】
図８はエッジブレンディングパターン形成部Ｐ０〜Ｐ４に取り付けられる遮光板２０の一例を示す図である。遮光板２０は長方形状の板状部材で形成されており、各種のエッジ形状を有するものを用いることができる。図８（ａ）はエッジ形状が直線の遮光板２０、図８（ｂ）はエッジ形状が鋸歯状の遮光板２０、図８（ｃ）はエッジ形状が矩形状の遮光板２０、図８（ｄ）はエッジ形状が波状の遮光板２０である。本発明の実施形態においては、図８（ａ）に示す遮光板２０を用いるものとする。なお、この遮光板２０は減光フィルタなど光を減じる部材であってもよい。
【００８３】
図９は図８（ａ）に示す遮光板２０をエッジブレンディングパターン形成部Ｐ０に取り付けた例を示す図である。図９の例では、プロジェクタＰＪ１１からの投写光の縦方向に生じる重複領域に対応するよう１枚の遮光板２０（破線で示す）を取り付けた例が示されている。
【００８４】
なお、図９では１枚の遮光板２０をエッジブレンディングパターン形成部Ｐ０に縦長方向に取り付けた場合を示したが、縦長方向に限らず、横長方向、さらには、複数枚の遮光板２０を組み合わせることによって、Ｌ字型、コの字型など、所望とするエッジブレンディングパターンＥＢＰを形成することができる。このように、遮光板２０のエッジブレンディングパターン形成部Ｐ０〜Ｐ４への取付位置を変えたり、複数の遮光板２０を組み合わせたりすることで、様々なエッジブレンディングパターンＥＢＰを形成することが可能である。
【００８５】
また、遮光板２０のエッジブレンディングパターン形成部Ｐ０〜Ｐ４への取り付けは、遮光板２０の長手方向両端部をエッジブレンディングパターン形成部Ｐ０〜Ｐ４の外側の遮光手段保持部１１の円盤面に何らかの取付手段によって固定することで行う。この取付手段としては、たとえば、マグネット、マジックテープ（登録商標）、ネジ止めなど様々な取付手段を用いることができるが、遮光板２０の着脱が容易で、かつ、取り付け後の遮光板２０に位置ずれなどが生じない取付手段であることが好ましい。
【００８６】
以上説明したような本発明の実施形態に係るエッジブレンディング装置７０によれば、遮光手段保持部１１に設けられた５個のエッジブレンディングパターン形成部Ｐ０〜Ｐ４に、それぞれ異なるエッジブレンディングパターンＥＢＰが形成されるように遮光板２０を取り付けることによって、５種類のエッジブレンディングパターンＥＢＰを切り替えて
使用することができる。この５種類のエッジブレンディングパターンＥＢＰの切り替えは、遮光手段保持部７１をモータ（ステッピングモータ）７３により７２度ずつ回転させるだけであるので、エッジブレンディングパターンＥＢＰの切り替えのための機構及び制御はきわめて単純なものとなる。
【００８７】
また、遮光板２０のエッジブレンディングパターン形成部Ｐ０〜Ｐ４への取付位置を変えたり、複数の遮光板２０を組み合わせたりすることで、様々なエッジブレンディングパターンＥＢＰを形成することができるので、重複領域のパターンの変化（重複領域の幅の変化も含む）などに容易に対応することができる。
【００８８】
画像表示制御装置ＣＮＴは、以上に説明したエッジブレンディング装置７０を用いてエッジブレンディング処理を行う。例えば、画像表示制御装置ＣＮＴは、各エッジブレンディング装置７０のエッジブレンディングパターン形成部Ｐ０〜Ｐ４に形成されたエッジブレンディングパターンを記憶しておく。そして、再構成後の表示画面の表示に使用されるプロジェクタに対応するエッジブレンディング装置７０において使用する（投写レンズＬに対向させる）エッジブレンディングパターン形成部を決定する。この決定は、記憶したエッジブレンディングパターンに基づいて行う。次に、決定したエッジブレンディングパターン形成部が現在の表示モードにおいて使用されていない場合、対応するプロジェクタに対し、エッジブレンディング装置の遮光手段保持部７１を所望の位置まで回転させるための制御信号を送信する。この制御信号を受信したエッジブレンディング装置７０は、決定されたエッジブレンディングパターン形成部の位置まで遮光手段保持部７１を回転させる。このようにして、隣接する部分画面間に形成される重畳領域を目立たなくするためのエッジブレンディング処理を行うことができる。
【００８９】
図１０（ａ）は再構成前の表示画面の表示に使用する各プロジェクタＰＪ３１〜ＰＪ５３に設定されたエッジブレンディングパターンＥＢＰを示し、図１０（ｂ）は再構成後の表示画面の表示に使用する各プロジェクタＰＪ２１〜ＰＪ４３に設定されたエッジブレンディングパターンＥＢＰを示している。図１０（ａ），（ｂ）からもわかるように、表示画面の再構成を行うことにより、再構成によって新たに使用されるプロジェクタＰＪ２１〜ＰＪ２２に対しては、エッジブレンディングパターンＥＢＰが新たに設定され、再構成前の表示画面の表示に使用していたプロジェクタＰＪ３１〜ＰＪ４３に対しては、エッジブレンディングパターンＥＢＰが変更されている。例えば、プロジェクタＰＪ３２においては、再構成前は「コ」の字型であったエッジブレンディングパターンが再構成後には「ロ」の字型に変更されている。
【００９０】
再構成後の表示画面の表示に使用する各プロジェクタＰＪ２１〜ＰＪ４３のエッジブレンディングパターンＥＢＰを図１０（ｂ）のように設定することによって、各プロジェクタＰＪ２１〜ＰＪ４３に対応する各部分画面の隣接する部分画面間に形成される重畳領域の明るさを適切に調整することができ、重畳領域を目立たなくすることができる。
【００９１】
以上のような表示画面の再構成を行うことにより、第１表示モードによる表示画面のうちのある部分画面（ここではプロジェクタＰＪ５２に対応する部分画面Ｇ５２）が欠落した場合、通常であれば、欠落した部分画面Ｇ５２はランプ交換などの補修作業（またはプロジェクタ本体の交換作業など）が済むまで欠落したままとなる。これに対して、本発明の実施形態に係るマルチディスプレイシステムにおいては、たとえば、図６に示すような表示画面の再構成を行うことにより、第１表示モードによる表示を継続できる。
【００９２】
なお、図６のような表示画面の再構成を行った場合、再構成後の表示画面は、再構成前の表示画面に対して、スクリーンＳＣＲ上での表示位置は少しずれた位置となるが、表示画面のサイズ、アスペクト比、解像度などが変化することなく、再構成前の表示画面と同
じ表示品質を維持することができる。
【００９３】
また、ランプ切れが生じた場合、該当するプロジェクタの部分画面は、ランプ切れが生じた際に欠落するが、表示画面の再構成処理は短時間で行うことが可能であるので、部分画面の欠落している時間はごくわずかであるため視聴者に大きな違和感を与えることはない。これは、後に説明する他の表示モードにおいて表示画面の再構成を行う場合も同様である。
【００９４】
図６の例では第１表示モードでの表示中においてプロジェクタＰＪ５２に故障が発生した場合であったが、第１表示モードにおいて表示を行っている他のプロジェクタに故障が発生した場合にも同様に、表示画面の再構成を行うことができる。
【００９５】
図１１は第１表示モードにおける表示画面の再構成（その２）について説明する図である。図１１（ａ）に示すように、第１表示モードを行う際に表示を行っているプロジェクタのうち、プロジェクタＰＪ４３に故障が発生して、プロジェクタＰＪ４３に対応する部分画面Ｇ４３が欠落した状態となると、この場合も、画面サイズを維持したまま表示画面を移動することが可能である。すなわち、故障の発生したプロジェクタＰＪ４３の存在する４列目のプロジェクタＰＪ４１，ＰＪ４２，ＰＪ４３に対応する部分画面Ｇ４１，Ｇ４２，Ｇ４３は使用せずに、１列目から３列目のプロジェクタＰＪ１１〜ＰＪ３３に対応する部分画面Ｇ１１〜Ｇ３３を用いて表示画面を再構成することが可能である。このような表示画面の再構成を行うことによって第１表示モードによる表示を継続することができる(図１１（ｂ）参照)。
【００９６】
また、図１１のような表示画面再構成を行う場合も、画像表示制御装置ＣＮＴは、該当するプロジェクタやスキャンコンバータに制御信号を送信する。また、各プロジェクタＰＪ１１〜ＰＪ３３に対応する各部分画面の隣接する部分画面間に形成される重畳領域を目立たなくするためにエッジブレンディングパターンの設定を行い、各プロジェクタＰＪ１１〜ＰＪ３３に対応するエッジブレンディング装置７０に制御信号を送信する。
【００９７】
なお、図１１の例では、１列目から３列目のプロジェクタＰＪ１１〜ＰＪ３３に対応する部分画面Ｇ１１〜Ｇ３３を用いて表示画面を再構成するようにしたが、この場合、５列目から７列目のプロジェクタＰＪ５１〜ＰＪ７３に対応する部分画面Ｇ５１〜Ｇ７３を用いて表示画面を再構成するようにしてもよい。
【００９８】
[第２表示モードにおける表示画面の再構成例]
図１２は第２表示モードによる表示における表示画面の再構成例を説明する図である。第２表示モードは、図５（ｂ）で説明したように、左側３列のプロジェクタＰＪ１１〜ＰＪ３３に対応する部分画面Ｇ１１〜Ｇ３３により左側表示画面を構成するとともに、右側３列のプロジェクタＰＪ５１〜ＰＪ７３に対応する部分画面Ｇ５１〜Ｇ７３によって右側表示画面を構成し、左右それぞれの表示画面において同じ内容の表示を行う表示モード、すなわち１系統２表示画面による表示モードである
【００９９】
このような第２表示モードにおいて、図１２（ａ）に示すように、右側表示画面を構成するプロジェクタＰＪ５１〜ＰＪ７３のうち、プロジェクタＰＪ５１が故障して、プロジェクタＰＪ５１に対応する部分画面Ｇ５１が欠落した状態となった場合について考える。
【０１００】
第２表示モードは、１系統２表示画面（図５（ｂ）参照）による表示モードであるので、故障したプロジェクタＰＪ５１に対応する部分画面Ｇ５１が含まれる表示画面（この場合、右側表示画面）全体の表示を停止して、左側の表示画面だけでの表示に切り替えて表示を続行することも可能であるが、ここでは、右側表示画面を図９（ｂ）に示すような再
構成を行うことによって、１系統２表示画面による表示を維持するものとする。
【０１０１】
ただし、この場合は、図６や図１１の場合とは異なり、画面サイズを維持した状態で表示画面を移動させることによる再構成はできない。そこで、１系統２表示画面による表示を維持するために、図１２（ｂ）に示すように、右側表示画面の画面サイズを変更する。すなわち、図１２（ｂ）に示すように、故障したプロジェクタＰＪ５１、当該プロジェクタＰＪ５１と同じ列に存在するプロジェクタＰＪ５２，ＰＪ５３及び同じ行に存在するプロジェクタＰＪ６１，ＰＪ７１を除くプロジェクタによって表示画面の再構成を行なう。
【０１０２】
図１２（ｂ）は１系統２表示画面による表示を維持するために画面サイズの変更による表示画面の再構成を行った例である。図１２（ｂ）に示すように、プロジェクタＰＪ６２，ＰＪ６３、ＰＪ７２，ＰＪ７３に対応する部分画面Ｇ６２，Ｇ６３，Ｇ７２，Ｇ７３によって表示画面の再構成を行う。このような表示画面の再構成を行うことにより、再構成前の表示画面のアスペクト比を維持しつつ、再構成前の表示画面に可能な限り近い画面サイズの表示画面を得ることができる。なお、この場合、再構成前の表示画面に可能な限り近い画面サイズとしては、再構成前の表示画面の画面サイズを超えない範囲内において最大の画面サイズとなるように設定される。
【０１０３】
図１２（ｂ）に示すような表示画面の再構成を行うことにより、第２表示モードによる表示中に、あるプロジェクタに故障が発生しても、アスペクト比を維持しつつ、再構成前の表示画面の画面サイズを超えない範囲内において最大の画面サイズでの表示が行えるので、解像度も最大限確保することができ、表示品質をある程度維持することができる。
【０１０４】
なお、図１２に示すような表示画面の再構成を行う場合も、画像表示制御装置ＣＮＴが、該当するプロジェクタや該当するスキャンコンバータに制御信号を送信するとともに、各部分画面Ｇ６２，Ｇ６３、Ｇ７２，Ｇ７３の隣接する部分画面間に形成される重畳領域を目立たなくするためのエッジブレンディング処理を行うが、これらの処理については、第１表示モードにおける表示画面の再構成で説明したので、ここではその説明は省略する。
【０１０５】
[第３表示モードにおける表示画面の再構成例]
第３表示モードは、図５（ｃ）で説明したように、左側３列のプロジェクタＰＪ１１〜ＰＪ３３に対応する部分画面Ｇ１１〜Ｇ３３により左側表示画面を構成するとともに、右側３列のプロジェクタＰＪ５１〜ＰＪ７３に対応する部分画面Ｇ５１〜Ｇ７３によって右側表示画面を構成し、左右それぞれの表示画面において異なった内容の表示を行う表示モード（２系統２表示画面による表示モード）である。このような第３表示モードによる表示を行っているプロジェクタのうちのあるプロジェクタが故障した場合の表示画面の再構成は、第２表示モードにおける表示画面の再構成と同様に実施できる。
【０１０６】
[第４表示モードにおける表示画面の再構成例]
図１３は第４表示モードにおける表示画面の再構成（その１）について説明する図である。また、図１４は第４表示モードにおける表示画面の再構成（その２）について説明する図である。
【０１０７】
第４表示モードは、図５（ｄ）で説明したように、左右両端のプロジェクタ（１列目と７列目のプロジェクタ）を除くプロジェクタすなわち２列目から６列目のプロジェクタＰＪ２１〜ＰＪ６３に対応する部分画面Ｇ２１〜Ｇ６３を用いて表示を行う表示モードである。このような第４表示モードにおいて、表示を行っているプロジェクタのうち、あるプロジェクタ（例えば、プロジェクタＰＪ６２）に故障が発生して、プロジェクタＰＪ６２に対応する部分画面Ｇ６２が欠落した状態となった場合を考える（図１３（ａ）参照）。
【０１０８】
この場合は、画面サイズを維持したまま表示画面を移動することによる再構成が可能である。すなわち、故障の発生したプロジェクタＰＪ６２の存在する６列目のプロジェクタＰＪ６１，ＰＪ６２，ＰＪ６３に対応する部分画面Ｇ６１，Ｇ６２，Ｇ６３は使用せずに、１列目から５列目のプロジェクタＰＪ１１〜ＰＪ５３に対応する部分画面Ｇ１１〜Ｇ５３を用いて表示画面を再構成することが可能である。このような表示画面の再構成を行うことによって第４表示モードによる表示を継続することができる(図１３（ｂ）参照)。
【０１０９】
図１３のような表示画面の再構成を行った場合、再構成後の表示画面は、再構成前の表示画面に対して、スクリーンＳＣＲ上での表示位置は少しずれた位置となるが、表示画面の画面サイズは変化することがない。したがって、再構成後の表示画面は、アスペクト比や解像度などが変化することなく、再構成前の表示画面と同じ表示品質を維持することができる。
【０１１０】
一方、第４表示モードにおいて表示動作を行うプロジェクタのうち、図１４（ａ）に示すように、表示画面の中央部付近のプロジェクタＰＪ５２が故障して部分画面Ｇ５２が欠落した場合には、画面サイズを維持したまま表示画面を移動することによる再構成はできない。そこで、図１４（ｂ）に示すように、画面サイズを変更することにより表示画面の再構成を行う。
【０１１１】
図１４（ｂ）は１列目から４列目におけるそれぞれ下から２段目までのプロジェクタＰＪ１２，ＰＪ１３、ＰＪ２２，ＰＪ２３、ＰＪ３２，ＰＪ３３、ＰＪ４２，ＰＪ４３に対応する部分画面Ｇ１２，Ｇ１３、Ｇ２２，Ｇ２３、Ｇ３２，Ｇ３３、Ｇ４２，Ｇ４３により表示画面の再構成を行って例である。
【０１１２】
なお、図１４（ｂ）に示す再構成後の表示画面は、４×２の部分画面によって構成されたものとなり、再構成前の表示画面が５×３の部分画面によって構成されているので、再構成後の表示画面（図１４（ｂ）に示す表示画面）は、再構成前の表示画面（図１４（ａ）に示す表示画面）に可能な限り近いアスペクト比を有したものとなるが、再構成後の表示画面は、再構成前の表示画面に比べると少し横長となる。
【０１１３】
ここで、アスペクト比を同等に維持するために、例えば、再構成後の表示画面内の端辺部分に黒画像を表示するというような工夫を施すことが考えられる。これにより、再構成後の表示画面内に表示される画像のアスペクト比を再構成前のアスペクト比と同等に維持することができる。黒画像を表示させる処理は、個々のプロジェクタに接続されたスキャンコンバータが有する機能によって可能となる。
【０１１４】
図１４に示すような表示画面の再構成を行うことにより、第４表示モードによる表示中に、あるプロジェクタに故障が発生しても、アスペクト比をほぼ維持しつつ、再構成前の表示画面の画面サイズを超えない範囲内において最大の画面サイズでの表示が行えるので、解像度も最大限確保することができ、表示品質をある程度維持することができる。
【０１１５】
なお、この図１４のような表示画面の再構成を行う場合も、画像表示制御装置ＣＮＴが、該当するプロジェクタや該当するスキャンコンバータに制御信号を送信するとともに、各部分画面Ｇ１２，Ｇ１３、Ｇ２２，Ｇ２３、Ｇ３２，Ｇ３３、Ｇ４２，Ｇ４３における隣接する部分画面間に形成される重畳領域を目立たなくするためのエッジブレンディング処理を行うが、これらの処理については、第１表示モードにおける表示画面の再構成で説明したので、ここではその説明は省略する。
【０１１６】
[第５表示モードにおける表示画面の再構成例]
図１５は第５表示モードの表示における表示画面の再構成について説明する図である。第５表示モードは、図５（ｅ）で説明したように、マルチディスプレイシステムを構成する全てのプロジェクタ（本発明の実施形態では２１台のプロジェクタ）ＰＪ１１〜ＰＪ７３を用いて表示を行う表示モードである。
【０１１７】
このように、第５表示モードにおいては全てのプロジェクタＰＪ１１〜ＰＪ７３を使用しているため、これらのプロジェクタＰＪ１１〜ＰＪ７３のうち、あるプロジェクタが故障した場合、画面サイズを維持したまま表示画面を移動することによる再構成はできない。そこで、図１５（ｂ）に示すように、画面サイズを変更することにより表示画面の再構成を行う。例えば、図１５（ａ）に示すように、プロジェクタＰＪ７３が故障した場合を考えると、アスペクト比を可能な限り維持して、最大の画面サイズが確保できるように、図１５（ｂ）のように表示画面を再構成する。
【０１１８】
図１５（ｂ）に示す再構成後の表示画面は、５×２の部分画面によって構成されたものとなり、再構成前の表示画面が７×３の部分画面によって構成されているので、再構成後の表示画面（図１５（ｂ）に示す表示画面）は、再構成前の表示画面（図１５（ａ）に示す表示画面）に可能な限り近いアスペクト比を有したものとなるが、再構成後の表示画面は、再構成前の表示画面に比べると少し横長となる。
【０１１９】
ここで、アスペクト比を同等に維持するために、前述したように、例えば、再構成後の表示画面内の端辺部分に黒画像を表示するというような工夫を施すことが考えられる。これにより、再構成後の表示画面内に表示される画像のアスペクト比を再構成前のアスペクト比と同等に維持することができる。
【０１２０】
図１５に示すような表示画面の再構成を行うことにより、第５表示モードによる表示中に、あるプロジェクタに故障が発生しても、アスペクト比をほぼ維持しつつ、再構成前の表示画面の画面サイズを超えない範囲内において最大の画面サイズでの表示が行えるので、解像度も最大限確保することができ、表示品質をある程度維持することができる。
【０１２１】
図１６は本発明の実施形態に係るマルチディスプレイシステムにおける画像表示制御装置ＣＮＴの処理手順を説明するフローチャートである。なお、図１６に示す処理手順は、例えば、図５に示した第１〜第５表示モードのうちのある表示モードでの表示中にあるプロジェクタに故障が発生した場合である。
【０１２２】
図１６に示すように、あるプロジェクタに表示異常が検知されると（ステップＳ１）、現在の表示画面の画面サイズの維持を優先するか、現在の表示画面の表示位置（画面位置）の維持を優先するかを決める（ステップＳ２）。これは、システムの運用に当たって予め設定などしておくとよい。ここで、画面サイズを優先すると決めた場合には、スクリーンＳＣＲ上で現在の表示画面を行及び／又は列単位で移動させることにより画面サイズを維持できる表示画面構成の探索を行う（ステップＳ３）。ステップＳ３によって探索された表示画面構成が、再構成前の表示画面を行及び／又は列単位で移動させることによって対応可能であるか否かを判断し（ステップＳ４）、移動によって対応可能であると判断した場合は、再構成後の表示画面構成を決定する（ステップＳ５）。このとき、移動によって対応可能な表示画面構成が複数存在する場合には、その中から１つの表示画面構成を選択して、選択した表示画面構成を再構成後の表示画面として決定する。
【０１２３】
ところで、ステップＳ２において画面位置を優先すると決定された場合は、現在の表示画面の画面位置と表示画面サイズをできるだけ維持するように表示画面構成を設定する（ステップＳ６）。なお、ステップＳ４において、移動によって対応できないと判断した場合もステップＳ６の処理を行う。
【０１２４】
そして、ステップＳ５またはステップＳ６において決定された表示画面構成を得るために、表示画面の再構成処理を実行する（ステップＳ７）。ステップＳ７で行う表示画面の再構成処理は、プロジェクタに対しては、再構成後の表示画面の表示に新たに使用するプロジェクタの点灯制御、使用を停止するプロジェクタの消灯などの制御を行い、スキャンコンバータに対しては、表示画面の再構成を行う際、再構成後の表示画面の表示に使用する各プロジェクタが表示すべき部分画像に対応する部分画像データを生成させるための制御を行い、また、エッジブレンディング装置７０に対しては、再構成後の表示画面の表示に使用するプロジェクタに対応する各部分画面の隣接する部分画面間に形成される重畳領域のエッジブレンディング処理の制御を行う。
【０１２５】
以上説明したように、本発明の実施形態に係るマルチディスプレイシステムによれば、マルチディスプレイシステムに用いられる複数のプロジェクタのうちのあるプロジェクタが故障することにより表示画面を構成するある部分画面が欠落したとしても、部分画面が欠落したままの状態で表示が継続されることなく、表示画面全体の表示をその有効性を著しく損なうことなく維持することが可能となる。例えば、あるプロジェクタにランプ切れなど生じた場合には、そのランプを交換している期間は、前述したような表示画面の再構成を行うことで、視聴者の不満を緩和することができる。
【０１２６】
また、本発明の実施形態に係るマルチディスプレイシステムは、予備のプロジェクタを用意したり、複灯式の高価なプロジェクタを用いたりしなくてもよいため、低コストにマルチディスプレイシステムを構成することができる．
【０１２７】
なお、本発明は上述の実施形態に限られるものではなく、本発明の要旨を逸脱しない範囲で種々変形実施可能となるものである。たとえば、前述の実施形態に係るマルチディスプレイシステムでは、隣接する部分画面間に重畳領域を有するように各部分画面が配置される例であったが、図１７に示すように、隣接する部分画面間に重畳領域が存在しないように各部分画面が配置されるようなマルチディスプレイシステムにおいても適用できることは勿論である。
【０１２８】
また、前述の実施形態に係るマルチディスプレイシステムでは、背面投射型のマルチディスプレイシステムであったが、前面投射型のマルチディスプレイシステムにおいても適用できることは勿論である。
【０１２９】
また、前述の実施形態に係るマルチディスプレイシステムでは、プロジェクタの表示異常（故障）の原因としてランプ切れを例にとって説明したが、ランプ切れに限られるものではなく、たとえば、ランプの劣化などにより表示が不安定となる状態、電源回路やその他の制御回路などの不具合など種々の原因が考えられ、いずれの場合も、表示異常として検出することにより、前述の実施形態で説明したような表示画面の再構成を行うことが可能である。
【０１３０】
また、前述の実施形態に係るマルチディスプレイシステムでは、画像表示装置としてプロジェクタを用いたマルチディスプレイシステムについて説明したが、画像表示装置としてはプロジェクタのみならず、例えば、直視型のフラットパネルディスプレイ装置を複数並べて構成されたマルチディスプレイシステムにおいても、表示画面を構成する個々のディスプレイ装置に表示異常が発生したときなどにおいて同様の制御を行うことができる。
【０１３１】
また、前述の実施形態に係るマルチディスプレイシステムでは、エッジブレンディング処理を、遮光板を用いた光学的手段により行ったが、従来より行われている画像処理により行うようにしてもよい。その場合は、画像表示制御装置ＣＮＴはプロジェクタに制御信
号を送信し、プロジェクタは、受け取った制御信号に基づいて、画像データを変換するようにすればよい。また、画像処理と、光学的手段とを併用するようにしてもよい。
【０１３２】
また、前述の実施形態に係るマルチディスプレイシステムでは、部分画面を横方向７個、縦方向３個にマトリクス状に配置することによって、最大で７×３の部分画面による表示画面を構成可能としたマルチディスプレイシステムの例について説明したが、マルチディスプレイシステムを構成する表示画面の構成はこれに限られるものではない。また、部分画面をマトリクス状に配置する場合、前述の実施形態では横長の表示画面としたが、これに限られるものではなく、縦長の表示画面となるように部分画面を配置するようにしてもよい。
【０１３３】
また、前述の実施形態のように横長の表示画面における表示画面の再構成を行う場合、前述の実施形態では、例えば、図６のように、表示画面のシフト方向を横方向とする例で説明したが、列方向にも多数の部分画面が配置されているような表示画面など表示画面の構成の仕方によっては、表示画面の再構成を行う際、表示画面を縦方向に移動させるようにしてもよい。
【０１３４】
また、７×３の部分画面がマトリクス状に配置された表示画面上において各表示モード（前述の実施形態では第１〜第５表示モード）を構成する際、各表示モードを構成する部分画面をマトリクス状に配置した例について説明したが、これら各表示モードは、２つ以上の部分画面が横一列または縦一列に配置された構成のものであってもよい。
【０１３５】
また、前述の実施形態に係るマルチディスプレイシステムでは、画像表示装置としてのプロジェクタに対応する部分画面がマトリクス状に配置されることによって表示画面を構成するようにしたが、本発明は、マトリクス状の配置ではなく、たとえば、横一列または縦一列にそれぞれ複数の部分画面が配置されることにより表示画面が構成されるマルチディスプレイシステムにおいても適用することができる。なお、この場合、本発明の特徴を生かすには４台以上の画像表示装置に対応する４個以上の部分画面により表示画面を構成し、４個以上の部分画面のうち、連続した少なくとも２つの部分画面により１つの表示画面を構成するようなマルチディスプレイシステムとすることが好ましい。
【図面の簡単な説明】
【０１３６】
【図１】本発明の実施形態に係るマルチディスプレイシステムの構成を説明する図。
【図２】各プロジェクタＰＪ１１〜ＰＪ７３に対する画像信号及び制御信号の配信例を説明する図。
【図３】本発明の実施形態に係るマルチディスプレイシステムにおける表示画面の再構成を実施するに必要な構成を示す図。
【図４】図１に示したスクリーンＳＣＲ上での各プロジェクタＰＪ１１〜ＰＪ７３に対応する部分画面の配置を示す図。
【図５】本発明の実施形態に係るマルチディスプレイシステムにおいて表示可能な表示モードの例を示す図。
【図６】第１表示モードによる表示における表示画面の再構成（その１）について説明する図。
【図７】本発明の実施形態に係るエッジブレンディング装置の構成を示す図。
【図８】エッジブレンディングパターン形成部Ｐ０〜Ｐ４に取り付けられる遮光版２０の一例を示す図。
【図９】図８（ａ）に示す遮光版２０をエッジブレンディングパターン形成部Ｐ０に取り付けた例を示す図。
【図１０】表示画面を再構成する際のエッジブレンディング処理について説明する図。
【図１１】第１表示モードによる表示における表示画面の再構成（その２）について説明する図。
【図１２】第２表示モードによる表示における表示画面の再構成例を説明する図。
【図１３】第４表示モードの表示における表示画面の再構成（その１）について説明する図。
【図１４】第４表示モードの表示における表示画面の再構成（その２）について説明する図。
【図１５】第５表示モードの表示における表示画面の再構成について説明する図。
【図１６】本発明の実施形態に係るマルチディスプレイシステムにおける画像表示制御装置の処理手順を説明するフローチャート。
【図１７】隣接する部分画面間に重畳領域を有しない場合のスクリーンＳＣＲ上での各プロジェクタに対応する部分画面の配置を示す図。
【図１８】従来のマルチプロジェクションシステムの一例であって時分割で画像表示を行う例を説明する図。
【符号の説明】
【０１３７】
２０・・・遮光板、７０・・・エッジブレンディング装置、ＣＮＴ・・・画像表示制御装置、ＰＪ１１〜ＰＪ７３・・・プロジェクタ、Ｇ１１〜Ｇ７３・・・部分画面、ＳＣ１１〜ＳＣ７３・・・スキャンコンバータ、ＳＣＲ・・・スクリーン、ＭＳＷ・・・マトリクススイッチャ、ＥＢＰ・・・エッジブレンディングパターン
【図２】
2008039795.tif 000003
【図３】
2008039795.tif 000004
【図４】
2008039795.tif 000005
【図８】
2008039795.tif 000006
【図１６】
2008039795.tif 000007
【図１７】
2008039795.tif 000008
【図１８】
2008039795.tif 000009
【図１】
2008039795.tif 000010
【図５】
2008039795.tif 000011
【図６】
2008039795.tif 000012
【図７】
2008039795.tif 000013
【図９】
2008039795.tif 000014
【図１０】
2008039795.tif 000015
【図１１】
2008039795.tif 000016
【図１２】
2008039795.tif 000017
【図１３】
2008039795.tif 000018
【図１４】
2008039795.tif 000019
【図１５】
2008039795.tif 000020